(57)【要約】【課題】シートに形成した画像の状態を使用者が容易に知ることができる画像形成装置を提供する。【解決手段】画像形成装置（１）は、シートに画像を形成する形成部（１０）、形成部にシートを供給する供給部（２０）、形成部（１０）によって画像が形成されたシートから画像を読み取るスキャナ（９１）、スキャナ（９１）によって読み取られた画像を表示する表示部（４０）を備える。スキャナ（９１）はシート全体を画像として読み取り、表示部（４０）に表示される画像には、シートに形成されていた画像とシートの縁を表す画像が表示される。【選択図】　　　図１
2004147197.tif 000002
【特許請求の範囲】
【請求項１】
シートに画像を形成する形成手段と、
形成手段が画像を形成したシートから画像を読み取り、読み取った画像を表す画像データを生成する読み取り手段
を備えることを特徴とする画像形成装置。
【請求項２】
読み取り手段は形成手段が画像を形成したシートの全体を画像として読み取ることを特徴とする請求項１に記載の画像形成装置。
【請求項３】
形成手段が画像を形成したシートの読み取り手段に対する位置および向きを一定にする設定手段を備えることを特徴とする請求項１に記載の画像形成装置。
【請求項４】
読み取り手段が生成した画像データが表す画像を表示する表示手段と、
読み取り手段が生成した画像データを記憶する記憶手段と、
読み取り手段が生成した画像データを他の機器へ送信する送信手段
のうちの少なくとも１つを備えることを特徴とする請求項１から請求項３までのいずれか１項に記載の画像形成装置。
【請求項５】
形成手段が画像を形成したシートの読み取り手段に対する位置および向きを検出して、検出したシートの位置および向きを表す位置データを生成する検出手段を備えることを特徴とする請求項１に記載の画像形成装置。
【請求項６】
検出手段が生成した位置データに基づいて、読み取り手段が画像を読み取ったシートの縁を表す画像と読み取り手段が生成した画像データが表す画像を重ねて表示する表示手段と、
読み取り手段が生成した画像データと検出手段が生成した位置データを記憶する記憶手段と、
読み取り手段が生成した画像データと検出手段が生成した位置データを他の機器へ送信する送信手段
のうちの少なくとも１つを備えることを特徴とする請求項５に記載の画像形成装置。
【発明の詳細な説明】
【０００１】
【発明の属する技術分野】
本発明はシートに画像を形成する画像形成装置に関し、特に、シート上の画像を確認する機能を有する画像形成装置に関する。
【０００２】
【従来の技術】
複写機、ファクシミリ、プリンタ等のシートに画像を形成する画像形成装置は、一般に、画像を表す画像データに基づいてシートに画像を形成する形成部と、シートを形成部に供給する供給部を有する。画像が形成されるシートは、形成部に対して一定の位置および向きになるように移送され、この条件が満たされる限り、画像はシートに対して位置ずれや傾きがない状態で形成される。
【０００３】
ところが、移送用ローラの摩耗等により、供給部から形成部へのシートの移送が適切になされなくなって、形成部に対するシートの位置や向きが変化してしまうことがある。このような事態が生じると、形成された画像はシートに対して位置ずれや傾きを有することになり、それが著しい場合は画像の形成を再度行う必要が生じる。
【０００４】
また、使用者が、原稿の画像を複写する際に、誤って所望の原稿以外の原稿を設定したり、パーソナルコンピュータ等で作成した文書をプリントする際に、誤って所望のページ以外のページを指定したりすることもあり、これらの場合も画像の形成を再度行わなければならない。
【０００５】
画像の形成を再度行うか否かの判断は、装置から排出されたシートの画像を見て使用者が行う。しかし、画像が形成されたシートは、必ずしも使用者が画像を見易い状態で排出されるとは限らない。例えば、画像を形成した面を下に向けてシートを載積するようにした装置や、画像を形成したシートを装置の内部に積載するようにした装置（例えば、特許文献１参照）では、使用者はシートを手に取らない限り画像を見ることができない。また、上下に並べて配置した複数のトレイにシートを載積するようにした装置でも、最上段のトレイに載積されたシートを除き、形成した画像を直接見ることは困難である。さらに、画像形成装置を含むネットワークシステムでは、使用者は、画像形成装置の設置場所に行かなければ、シートに形成された画像を見ることはできない。
【０００６】
【特許文献１】特開２００２−３０５９号公報
【０００７】
【発明が解決しようとする課題】
シートに形成した画像を見ることが難しく、そのために画像の再形成が必要であるか否かの判断を直ちにできないことは、使用者の作業能率の低下を招く。特に、画像形成後の複数のシートをステープルによって綴じる画像形成装置では、綴じたシートに画像の形成が適切になされていないものが含まれるという事態が生じ、ステープルを外すという処理が必要になって作業が繁雑になる。
【０００８】
また、シートを途中で排出することなく同一シートの両面に画像を形成する装置では、先にシートの一方の面に形成した画像が不適切であっても、使用者がそれを知ることはできない。このため、シートのもう一方の面にも画像を形成することになり、トナーやインクの無駄使いとなる結果を招く。
【０００９】
近年では、画像をシートに形成する前に、画像データに基づいてシート上の画像をプレビューとして表示する機能を有する画像形成装置も提供されている。プレビュー機能を有する画像形成装置では、使用者は、誤った原稿をセットしたときや誤ったページのプリント指示をしたときには、プレビューを見ることによって誤りに気づき、その画像の形成を行わないようにすることができる。しかしながら、プレビュー機能で表示される画像は実際にシートに形成された画像ではないため、プレビュー機能はシートに対する画像の位置ずれや傾きの確認には利用することができない。
【００１０】
本発明はこのような問題点に鑑みてなされたもので、シートに形成された画像の状態を使用者が容易に知ることができる画像形成装置を提供することを目的とする。
【００１１】
【課題を解決するための手段】
上記目的を達成するために、本発明では、画像形成装置は、シートに画像を形成する形成手段と、形成手段が画像を形成したシートから画像を読み取り、読み取った画像を表す画像データを生成する読み取り手段を備えるものとする。
【００１２】
この画像形成装置では、シートに画像を形成した後、そのシートから画像を読み取って画像データを生成する。この画像データを用いることにより、使用者は、シート上の画像を直接見ることなく、適切な画像が形成されたか否か、およびシートに対する画像の位置ずれや傾きの有無を知ることができる。
【００１３】
ここで、読み取り手段は形成手段が画像を形成したシートの全体を画像として読み取るものとするとよい。このようにすると、読み取った画像にはシートの縁も含まれることになり、縁との関係から、シートに対する画像の位置ずれや傾きが判る。
【００１４】
形成手段が画像を形成したシートの読み取り手段に対する位置および向きを一定にする設定手段を備えるようにしてもよい。この構成では、シートに対する位置ずれや傾きがある画像は、読み取り部に対してその位置ずれや傾きを反映した位置関係となるから、読み取った画像には位置ずれや傾きが現れて、シートから画像のみを読み取ってもシートに対する位置ずれや傾きが判る。
【００１５】
これらの画像形成装置は、読み取り手段が生成した画像データが表す画像を表示する表示手段と、読み取り手段が生成した画像データを記憶する記憶手段と、読み取り手段が生成した画像データを他の機器へ送信する送信手段のうちの少なくとも１つを備えるようにするとよい。
【００１６】
画像形成装置が画像を表示することで、装置を直接操作する使用者はシート上の画像の状態を知ることができ、画像データを記憶しておくことで、使用者は任意の時にシート上の画像の状態を知ることができる。また、画像データを他の機器に送信することで、ネットワーク等を介して画像形成装置を使用する使用者が、装置の傍に来ることなく、シート上の画像の状態を知ることが可能になる。
【００１７】
形成手段が画像を形成したシートの読み取り手段に対する位置および向きを検出して、検出したシートの位置および向きを表す位置データを生成する検出手段を備えるようにしてもよい。この構成では、画像データと位置データを併用することにより、シートに対する画像の位置ずれや傾きが判る。
【００１８】
この画像形成装置は、検出手段が生成した位置データに基づいて、読み取り手段が画像を読み取ったシートの縁を表す画像と読み取り手段が生成した画像データが表す画像を重ねて表示する表示手段と、読み取り手段が生成した画像データと検出手段が生成した位置データを記憶する記憶手段と、読み取り手段が生成した画像データと検出手段が生成した位置データを他の機器へ送信する送信手段のうちの少なくとも１つを備えるようにするとよい。
【００１９】
シートの縁を表す画像と読み取った画像を重ねて表示することで、使用者はシート上の画像の状態を知ることができ、画像データと位置データを記憶しておくことで、使用者は任意の時にシート上の画像の状態を知ることができる。また、画像データと位置データを他の機器に送信することで、ネットワーク等を介して画像形成装置を使用する使用者が、装置の傍に来ることなく、シート上の画像の状態を知ることが可能になる。
【００２０】
【発明の実施の形態】
以下、本発明の実施形態について図面を参照しながら説明する。第１の実施形態の画像形成装置１の全体構成を図１に模式的に示す。画像形成装置１はシートに画像を形成するメインユニット２、および、画像が形成されたシートに後処理を施して排出するフィニッシャユニット３より成る。画像形成装置１は、原稿から画像を読み取って複製画像をシートに形成する複写機としても、原稿から読み取った画像を公衆回線を介して他の機器に送信したり他の機器から受信した画像をシートに形成したりするファクシミリとしても、また、パーソナルコンピュータから与えられる情報を画像としてシートに形成するプリンタとしても機能する。
【００２１】
メインユニット２は、画像の形成に直接関与する形成部１０、形成部１０にシートを供給する供給部２０、原稿から画像を読み取る読み取り部３０、および、使用者によって操作されるとともに種々の情報を表示する操作・表示部４０を備える。
【００２２】
形成部１０は、感光体ドラム１１、感光体ドラム１１を帯電させる帯電部１２、帯電した感光体ドラム１１にレーザ光を照射して部分的に除電し、感光体ドラム１１に潜像を形成する露光部１３、潜像が形成された感光体ドラム１１にトナーを付着させて現像する現像部１４、供給されるシートに感光体ドラム１１の像（トナー）を転写する転写部１５、転写後の感光体ドラム１１からトナーを除去するとともに除電する除電部１６、加熱しつつ押圧して画像をシートに定着させる定着部１７より成る。
【００２３】
形成部１０は、正逆両方向に回転可能なローラ１８を有しており、画像形成後のシートをローラ１８によって面を逆にして転写部１５に供給することが可能である。画像形成装置１は、これにより、シートの両面に画像を形成することができる。
【００２４】
供給部２０は、複数の給紙トレイ２１より成る。各給紙トレイ２１にはそれぞれ大きさや向きの異なるシートが載積される。
【００２５】
読み取り部３０は、原稿から画像を読み取るスキャナ３１と、原稿を順次スキャナ３１に移送する原稿自動移送部（ＡＤＦ）３２より成り、複写機およびファクシミリとしての利用に際して使用される。スキャナ３１は、ＣＣＤラインセンサと原稿が載置されるコンタクトガラスを含み（不図示）、センサを移動させることによって、コンタクトガラス上の原稿から画像を１ラインずつ読み取っていく。スキャナ３１は読み取った画像をデジタルの画像データとして出力する。
【００２６】
操作・表示部４０はいくつかの操作キーと液晶表示器より成る（不図示）。操作キーはファクシミリ送信の宛先の電話番号の入力、および動作の指示のために操作される。液晶表示器は、画像形成装置１の状態、および使用者の操作を案内する情報を表示する。液晶表示器はプレビュー等の画像も表示する。
【００２７】
フィニッシャユニット３は、ステープルによって複数のシートを綴じるステープラ部５０、シートを分別する分別部６０、およびステープラ部５０がシートを綴じる間にシートを載置する中間トレイ３ａを備える。分別部６０は、排出されたシートを受ける複数の排紙トレイ６１を備えている。これらのトレイ６１は上下に並べて配列されており、また、上下方向に移動可能である。トレイ６１を移動させて、シート移送路の末端に位置するトレイ６１を切り替えることにより、シートが分別される。
【００２８】
なお、フィニッシャユニット３はメインユニット２に着脱可能である。フィニッシャユニット３を装着していないときは、画像が形成されたシートはメインユニット２から直接排出される。その際、別の排紙トレイをメインユニット２に取り付けておくことができる。
【００２９】
画像形成装置１は、画像を形成したシートから画像を読み取って、読み取った画像を操作・表示部４０に表示する機能を有する。この画像読み取りのために、形成部１０における定着部１７よりも下流側のシート移送路には、ＣＣＤラインセンサより成るスキャナ９１が備えられている。スキャナ９１は固定されており、移送中のシートから画像を読み取る。
【００３０】
画像形成装置１の回路構成を図２に模式的に示す。画像形成装置１は、上述の各部のほか、通信部７０、制御部８０、プログラムメモリ８１、および２つの画像メモリ８２、８３を備える。通信部７０は公衆回線に接続されており、ファクシミリ通信を行う。通信部７０はまた、ローカルエリアネットワークに接続されており、ネットワーク上のパーソナルコンピュータからプリントの指示およびそのデータを受ける。
【００３１】
制御部８０は、画像形成装置１の全体の動作を制御するとともに、読み取り部３０で読み取った画像を表す画像データを生成する。制御部８０はまた、スキャナ９１によって読み取った画像を表す画像データも生成する。プログラムメモリ８１は、制御部８０が行う処理を記したプログラム、および処理に用いるパラメータを記憶している。
【００３２】
画像メモリ８２は、シートに形成すべき画像を表す画像データ、すなわち、制御部８０が読み取り部３０のスキャナ３１の出力から生成した画像データ、ファクシミリ受信した画像データ、およびパーソナルコンピュータより与えられた画像データを記憶する。もう１つの画像メモリ８３は、画像を形成したシートから読み取った画像を表す画像データ、すなわち、制御部８０がスキャナ９１の出力から生成した画像データを記憶する。
【００３３】
制御部８０は、形成部１０および供給部２０を動作させてシートに画像を形成させたときに、スキャナ９１も動作させて形成した画像をシートから読み取らせ、読み取った画像を表す画像データを生成して画像メモリ８３に記憶させておく。そして、使用者からの指示に応じて、画像メモリ８３から画像データを読み出して、その画像を操作・表示部４０に表示させる。なお、制御部８０は、画像データを画像メモリ８３に記憶させる際には、ＪＰＥＧ方式等の一般的な方法により、画像データ圧縮しておき、表示のために画像メモリ８３から画像データを読み出す際には、読み出した画像データを解凍（圧縮の逆処理）する。
【００３４】
シートから読み取った画像の表示例を図３に模式的に示す。シートから画像を読み取るスキャナ９１は、供給部２０から供給し得るどのシートよりも大きな幅を有しており、シートの全体を画像として読み取ることができる。したがって、読み取った画像には、シートに形成されていた画像だけでなく、シートの縁も含まれる。表示される画像には、シートに形成されていた画像Ｍに加えて、シートの縁を表す画像Ｆも含まれ、これにより、使用者はシート上での画像の位置ずれおよび傾きを知ることができる。表示される画像には、スキャナ９１（の画素の配列）に垂直な方向を示す線Ｌ１とスキャナ９１に平行な方向を示す線Ｌ２も加えられ、スキャナ９１に対するシートの位置や向きにずれがあったときは、線Ｌ１、Ｌ２と縁の画像Ｆからそれが判る。
【００３５】
シートの一方の面のみに画像を形成する場合、使用者は、操作・表示部４０の所定のキーを操作することにより、シートから読み取った画像を表示させる指示を与える。この指示は画像を形成した後に与える。制御部８０は、この指示を与えられると、画像メモリ８３から画像データを読み出して、その画像データが表す画像を操作・表示部４０に表示させる。画像メモリ８３からの画像データの読み出し、つまりシートから読み取った画像の表示は、１回の画像形成指示によって形成した一群の画像のうち、最も古いものから順に行う。
【００３６】
使用者は、表示される画像を見て、画像を再形成する必要があるか否かを判断することができる。分別部６０の複数のトレイ６１のうち最上段のもの以外にシートを排出したときは、画像の直接の視認は難しいが、操作・表示部４０に画像を表示することにより、使用者は、シートを手に取ることなく、シートに形成された画像の状態を知ることができる。
【００３７】
シートの両面に画像を形成する場合、使用者は、一方の面のみに画像を形成する場合と同様に画像形成後に表示の指示を与えることができるが、画像形成前に、あらかじめ表示の指示を与えておくことができる。画像形成前に表示の指示を与えられたとき、制御部８０は、画像をシートに形成するごとに、つまり、新たな画像データを生成して画像メモリ８３に記憶させるごとに、その画像データが表す画像を操作・表示部４０に表示させる。
【００３８】
使用者は、シートの一方の面に形成した画像が不適切で形成し直すべきであると判断したときは、操作・表示部４０の所定のキーを操作して、そのシートの他方の面には画像を形成しないように指示することができる。このとき、一方の面に画像が形成されたシートはローラ１８に保持されており、制御部８０は、他方の面への画像形成をしない指示を与えられたときは、形成部１０を動作させることなく、そのシートを形成部１０を経て分別部６０まで移送させて、複数のトレイ６１のうち使用中でないものに載置させる。このようにすることで、トナーの無駄使いが避けられ、適切に画像が形成されなかったシートの除去も容易になる。
【００３９】
なお、シートの一方の面に形成した画像が不適切で他方の面に画像を形成しないときは、直ちに同一の画像をシートに形成する。したがって、同一のシートの両面に形成すべき画像を、確実に同一のシートの両面に形成することができる。
【００４０】
使用者は、シートの一方の面に画像を形成した後に他方の面に形成した画像が不適切で画像の形成をし直すべきと判断したときは、操作・表示部４０の所定のキーを操作して、画像の再形成を指示することができる。この指示を与えられると、先に形成した画像のシートへの形成から処理を再開する。したがって、シートの両面に確実に画像を形成することができる。
【００４１】
画像を形成したシートをステープルによって綴じる場合も、シートの両面に画像を形成する場合と同様に、画像形成前にあらかじめ表示の指示を与えておいて、画像をシートに形成するごとに、そのシート上の画像を表示させることができる。そして、使用者は、形成した画像が不適切で形成し直すべきであると判断したときは、操作・表示部４０の所定のキーを操作して、そのシートをステープルで綴じるシートから除外する指示を与えることができる。
【００４２】
このとき、画像が形成されたシートは中間トレイ３ａに載置されており、制御部８０は、除外する指示が与えられたときは、そのシートを複数のトレイ６１のうち使用中でないものに載置させる。このようにすることで、ステープルによって綴じられたシートの中に適切に画像が形成されなかったシートが混入するのが防止され、不要なシートの除去のためにステープルを外すという作業が不要になる。
【００４３】
なお、不適切な画像が形成されたシートをステープルで綴じるシートから除外したときには、直ちに同一の画像をシートに形成する。したがって、綴じるべき全てのシートが正しい順序で中間トレイ３ａに載置され、これらをステープルで綴じることができる。
【００４４】
通信部７０を介してネットワーク上のパーソナルコンピュータから画像の形成を指示されたとき、制御部８０は、画像メモリ８３から読み出した画像データが表す画像を操作・表示部４０に表示させることに代えて、読み出した画像データを指示を与えたパーソナルコンピュータに通信部７０より送信させる。このとき、画像データは圧縮したままとする。パーソナルコンピュータが、画像形成装置１から受信した画像データを解凍して、その表示部に画像データが表す画像を表示することで、パーソナルコンピュータの使用者は、操作・表示部４０を操作して指示を与える場合と全く同様に、シート上の画像の適否の判断および画像の再形成を指示することができる。
【００４５】
ファクシミリ受信した画像をシートに形成した場合、使用者は、画像形成後任意の時に、操作・表示部４０を操作することによって、シートに形成した画像を表示させて再形成の指示を与えることができる。また、ネットワーク上のパーソナルコンピュータから指示を与えることによっても、シートに形成した画像を表示させて再形成の指示を与えることができる。
【００４６】
使用者は、また、画像メモリ８３の任意の画像データを画像としてシートに形成することを、任意の時に指示することができる。この指示を与えられると、制御部８０は、指定された画像データを全て読み出して、各画像データを数分の１に縮小する処理を行い、縮小後の画像データをまとめて１つの画像データとする。そして、その画像データに基づいて形成部１０に画像を形成させる。これにより、複数のシートから読み取った画像が１枚のシートに並べて形成され、使用者が多くのシートの画像の適否を判断することが容易になり、シートの消費も抑えられる。
【００４７】
画像データを画像メモリ８３に記憶させておくことで、このように画像の管理が容易になる。ネットワークに大きな記憶容量を有するサーバを備え、シートから読み取った画像を表す画像データを送信して、サーバで記憶するようにしてもよい。
【００４８】
以下、本発明の他の実施形態について説明するが、これらは第１の実施形態の画像形成装置１を修飾したものであり、同一または類似の構成要素は同じ符号で表す。また、画像形成装置１との相違点についてのみ説明し、重複する説明は省略する。
【００４９】
第２の実施形態の画像形成装置１ｂの全体構成を図４に模式的に示し、その回路構成を図５に模式的に示す。画像形成装置１ｂは、画像を形成したシートのスキャナ９１に対する位置および向きを検出するセンサ９２と、センサが検出した位置および向きを表す位置データを記憶する位置メモリ８４を、画像形成装置１に追加したものである。
【００５０】
センサ９２は、スキャナ９１と平行に配置された複数の検出部を有しており（不図示）、スキャナ９１に移送されてくるシートの先端および末尾を各検出部で検出する。制御部８０は、センサ９２のどの検出部がシートを検出したかによって、スキャナ９１に対するシートの位置を判断し、各検出部の検出時期からスキャナ９１に対するシートの向きを判断する。そして、位置および向きを示す数値を位置データとして、画像メモリ８３の画像データに対応づけて、位置メモリ８４に記憶させる。
【００５１】
画像形成装置１ｂにおけるシートから読み取った画像の表示例を図６に模式的に示す。画像メモリ８３の画像データが表す画像を操作・表示部４０に表示させる際、制御部８０は、位置メモリ８４から位置データを読み出し、位置データに基づいてシートの縁を表す画像データを生成し、これと画像メモリ８３からの画像データを合成して、シートに形成されていた画像Ｍとシートの縁を表す画像Ｆを重ねて表示させる。これにより、使用者はシート上での画像の位置ずれおよび傾きを知ることができる。画像形成装置１ｂにおいては、シート全体を画像として読み取る必要はなく、スキャナ９１はある程度の範囲を読み取るに足る幅（例えば、最大のシートの幅の１／３〜１／２）を有すればよい。
【００５２】
通信部７０を介してネットワーク上のパーソナルコンピュータに画像メモリ８３の画像データを送信するときは、位置メモリ８４の位置データも送信する。パーソナルコンピュータが制御部８０と同様に位置データおよび画像データを処理して表示することにより、パーソナルコンピュータの使用者は、シート上の画像の位置ずれおよび傾きを知ることができる。
【００５３】
第３の実施形態の画像形成装置１ｃの全体構成を図７に模式的に示し、その回路構成を図８に模式的に示す。画像形成装置１ｃは、画像を形成したシートのスキャナ９１に対する位置および向きを一定にするアジャスタ９３を画像形成装置１に追加したものである。
【００５４】
アジャスタ９３は、スキャナ９１に対して垂直な壁とスキャナ９１に対して平行な方向にシートを移動させるローラを有しており（不図示）、ローラによってシートの１つの縁を壁に押し当てることによって、スキャナ９１に対するシートの位置および向きを一定にする。
【００５５】
画像形成装置１ｃにおけるシートから読み取った画像の表示例を図９に模式的に示す。スキャナ９１に対するシートの位置および向きを一定にするため、スキャナ９１に垂直な線Ｌ１とスキャナ９１に平行な線Ｌ２と読み取った画像Ｍを表示するだけで、シート上の画像の位置ずれおよび傾きが判る。画像形成装置１ｃにおいても、シート全体を画像として読み取る必要はなく、スキャナ９１はある程度の範囲を読み取るに足る幅を有すればよい。
【００５６】
【発明の効果】
シートに画像を形成する形成手段と、形成手段が画像を形成したシートから画像を読み取り、読み取った画像を表す画像データを生成する読み取り手段を備える本発明の画像形成装置によれば、使用者は、シート上の画像を直接見ることなく、適切な画像が形成されたか否か、およびシートに対する画像の位置ずれや傾きの有無を知ることができる。これにより、形成した画像が適切であるか否かの判断を速やかに行うことが可能になり、使用者の作業能率が向上する。
【００５７】
特に、読み取り手段を形成手段が画像を形成したシートの全体を画像として読み取るものとすると、読み取った画像にはシートの縁も含まれることになり、縁との関係から、シートに対する画像の位置ずれや傾きが判る。
【００５８】
また、形成手段が画像を形成したシートの読み取り手段に対する位置および向きを一定にする設定手段を備えるようにすると、シートに対する位置ずれや傾きがある画像は、読み取り部に対してその位置ずれや傾きを反映した位置関係となり、読み取った画像には位置ずれや傾きが現れるから、シートから画像のみを読み取ってもシートに対する位置ずれや傾きが判る。
【００５９】
また、形成手段が画像を形成したシートの読み取り手段に対する位置および向きを検出して、検出したシートの位置および向きを表す位置データを生成する検出手段を備えるようにすると、シート全体を画像として読み取ったり、シートを一定の位置や向きに設定したりしなくても、画像データと位置データを併用することにより、シートに対する画像の位置ずれや傾きが判る。
【図面の簡単な説明】
【図１】第１の実施形態の画像形成装置の全体構成を模式的に示す図。
【図２】第１の実施形態の画像形成装置の回路構成を模式的に示す図。
【図３】第１の実施形態の画像形成装置におけるシートから読み取った画像の表示例を模式的に示す図。
【図４】第２の実施形態の画像形成装置の全体構成を模式的に示す図。
【図５】第２の実施形態の画像形成装置の回路構成を模式的に示す図。
【図６】第２の実施形態の画像形成装置におけるシートから読み取った画像の表示例を模式的に示す図。
【図７】第３の実施形態の画像形成装置の全体構成を模式的に示す図。
【図８】第３の実施形態の画像形成装置の回路構成を模式的に示す図。
【図９】第３の実施形態の画像形成装置におけるシートから読み取った画像の表示例を模式的に示す図。
【符号の説明】
１、１ｂ、１ｃ　画像形成装置
２　　メインユニット
３　　フィニッシャユニット
３ａ　中間トレイ
１０　　形成部
１１　　感光体ドラム
１２　　帯電部
１３　　露光部
１４　　現像部
１５　　転写部
１６　　除電部
１７　　定着部
１８　　両方向回転ローラ
２０　　供給部
２１　　給紙トレイ
３０　　読み取り部
３１　　スキャナ
３２　　原稿自動移送部
４０　　操作・表示部
５０　　ステープラ部
６０　　分別部
６１　　排紙トレイ
７０　　通信部
８０　　制御部
８１　　プログラムメモリ
８２、８３　画像メモリ
８４　　位置メモリ
９１　　スキャナ
９２　　センサ
９３　　アジャスタ
【図１】
2004147197.tif 000003
【図２】
2004147197.tif 000004
【図３】
2004147197.tif 000005
【図４】
2004147197.tif 000006
【図５】
2004147197.tif 000007
【図６】
2004147197.tif 000008
【図７】
2004147197.tif 000009
【図８】
2004147197.tif 000010
【図９】
2004147197.tif 000011